【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
遊技台と遊技媒体貸出機と呼出ランプとを有する遊技機構と、
該遊技機構に設けられた獲得玉計数機と遊技情報表示装置とから構成される遊技情報表示システムにおいて、
前記遊技情報表示装置は、
第１表示姿勢と、第２表示姿勢と、の異なる表示姿勢に可変可能に構成され、
第１表示姿勢では、前記遊技機構からの情報に基づいての第１遊技情報を表示し、
第２表示姿勢では、前記獲得玉計数機からの遊技媒体獲得数量情報に基づいての第２遊技情報を表示することを特徴とする遊技情報表示システム。
【手続補正２】
【補正対象書類名】明細書
【補正対象項目名】０００８
【補正方法】変更
【補正の内容】
【０００８】
上記問題を解決するために、遊技台と遊技媒体貸出機と呼出ランプとを有する遊技機構と、遊技機構に設けられた獲得玉計数機と遊技情報表示装置とから構成される遊技情報表示システムにおいて、遊技情報表示装置は、第１表示姿勢と、第２表示姿勢と、の異なる表示姿勢に可変可能に構成され、第１表示姿勢では、遊技機構からの情報に基づいての第１遊技情報を表示し、第２表示姿勢では、獲得玉計数機からの遊技媒体獲得数量情報に基づいての第２遊技情報を表示することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００４０
【補正方法】変更
【補正の内容】
【００４０】
この実施例は、図１又は図２に示すように、各遊技台２の遊技情報、各遊技台２における液晶表示部８の遊技情報、さらには遊技店側の遊技情報に基づいて表示姿勢を可変する遊技情報表示装置１０を構成したものである。その例として、第１表示姿勢としては、図１に示すように遊技情報表示部１１を水平状態にし、また第２表示姿勢としては、図２に示すように遊技情報表示装置１０の遊技情報表示部１１を垂直状態とする
【手続補正１４】
【補正対象書類名】明細書
【補正対象項目名】００４４
【補正方法】変更
【補正の内容】
【００４４】
この実施例は、実施例１と同様に構成された遊技情報表示部１１によって、情報内容を可変表示することを可能としたものであるが、図１と図２に示すように、第１表示姿勢と第２表示姿勢とが異なる表示姿勢であるときは、夫々異なる情報内容を表示する第１表示機能とし、又は第１表示姿勢と第２表示姿勢とが異なる表示姿勢であるときでも、夫々同一の情報内容を表示する第２表示機能とすることが可能であり、いずれの表示機能とするかは、遊技店側で適宜定めることができる。
【手続補正１５】
【補正対象書類名】明細書
【補正対象項目名】００４５
【補正方法】変更
【補正の内容】
【００４５】
この実施例は、図１又は図２に示すように、遊技台２と遊技媒体貸出機３と呼出ランプ５とを有する遊技機構と上記の遊技情報表示装置１０とから構成される遊技情報表示システムとして構成されたものである。
【手続補正１６】
【補正対象書類名】明細書
【補正対象項目名】００４７
【補正方法】変更
【補正の内容】
【００４７】
この実施例は、図９に示すように、遊技台２と遊技媒体貸出機３と呼出ランプ５とを有する遊技機構と、獲得玉計数機３６と、上記の遊技情報表示装置１０とから構成される遊技情報表示システムにおいて構成されたものである。なお、獲得玉計数機３６は、各遊技台２の下皿２０から排出された遊技玉を計数すると共に、下皿２０から排出された遊技玉を玉受け皿２１で受けて遊技島１内で回収するように構成されている。
【手続補正１７】
【補正対象書類名】明細書
【補正対象項目名】００５０
【補正方法】変更
【補正の内容】
【００５０】
この実施例は、実施例３又は４に記載した遊技情報表示システムにおいて、遊技情報表示装置１０は、図１と図２に示すように、第１表示姿勢と第２表示姿勢とが異なる表示姿勢であるときは、夫々異なる情報内容を表示する第１表示機能を有するほか、第１表示姿勢と第２表示姿勢とが異なる表示姿勢であっても、夫々同一の情報内容を表示する第２表示機能とを備えるものであり、第１表示機能と第２表示機能のいずれかの表示機能とすることを可能としたものである。
【手続補正１８】
【補正対象書類名】明細書
【補正対象項目名】００５１
【補正方法】変更
【補正の内容】
【００５１】
この実施例は、実施例３乃至実施例５のいずれかに記載の遊技情報表示システムにおいて、遊技情報表示装置１０は、遊技情報表示部１１が、呼出ランプ５に備える液晶表示部８（図３参照）の遊技情報表示内容に基づいて遊技情報表示を行うようにしたものである。
【手続補正１９】
【補正対象書類名】明細書
【補正対象項目名】００５２
【補正方法】変更
【補正の内容】
【００５２】
この実施例は、実施例３乃至実施例６のいずれかに記載の遊技情報表示システにおいて、遊技情報表示装置１０は、第１表示姿勢と第２表示姿勢とを従業員が手元のリモートコントローラで一斉に遊技情報表示部１１の姿勢制御することを可能としたものであり、例えば、図１１に示すように、緊急時において、避難誘導案内を表示するとき、各遊技情報表示部１１を一斉に水平状態にして、各遊技情報表示部１１に「非常口」の表示と矢印の表示を交互に表示することができる。
【手続補正２０】
【補正対象書類名】明細書
【補正対象項目名】００５３
【補正方法】変更
【補正の内容】
【００５３】
この実施例は、実施例３乃至実施例7のいずれかに記載の遊技情報表示システムにおいて、遊技情報表示装置１０は、遊技情報表示部１１が、第１表示姿勢から第２表示姿勢に姿勢変化した際に呼出ランプ５に備える液晶表示部８の一側方に設けた監視カメラ（不図示）が起動するようにしたものである。このような構成において、監視カメラで遊技客の手元を撮影することによって、その映像を遠隔場所から従業員が目視することにより、遊技客の不正を監視でき、不正操作の疑いがある場合は、その証拠となる映像を映し出すようにすることも可能である。
【手続補正２１】
【補正対象書類名】明細書
【補正対象項目名】００５４
【補正方法】変更
【補正の内容】
【００５４】
この実施例は、実施例３乃至実施例８のいずれかに記載の遊技情報表示システムにおいて、遊技情報表示装置１０は、図１又は図２に示ように、遊技台２が配列されてなる遊技島１の最上部に設けたものであり、上記のように、各遊技台２にはランプ板４の上方に幕板６が設けられ、図２に示すように、遊技情報表示装置１０の遊技情報表示部１１を垂直状態とすることにより、上述したように遊技客が幕板６を容易に開けることができなくなり、遊技客の不正防止を図ることが可能となる。
【手続補正２２】
【補正対象書類名】明細書
【補正対象項目名】００５５
【補正方法】変更
【補正の内容】
【００５５】
この実施例は、実施例４乃至実施例９のいずれかに記載の遊技情報表示システムにおいて、遊技情報表示装置１０は、図９に示すように、各遊技台２毎に設けられた獲得玉計数機３６からの遊技媒体獲得数量情報に基づいて遊技情報表示を行う第２表示姿勢状態（垂直状態）にあっては、図７に関する上記で説明したように、表示の変化に伴って遊技情報表示部１１が可変可動にスライド移動するようにしたものである。